(57)【要約】      （修正有）【課題】毎日の服薬の、飲み間違い、飲み忘れ、二重飲み過ぎを防止する服薬支援箱を提供する。【解決手段】医師から渡された薬袋は朝、昼、夕、夜の、いつ飲むかを確認してその内容に当てはまるシールをその引き出しの（5）のアクリル板に貼付する。食前か食後のどちらかに丸印をつけ何錠飲むのか服薬の数量の蘭に数を記入し、指定の時間に指定の数の薬を飲んだら必ず薬箱上部に装着されている表示（3）つまみを内側に廻して朝、昼、夕、及び夜の表示を合わせ指定の時に指定の数の薬の服用した記録を残す。このつまみは、反対方向には廻らぬ仕掛けがあり、朝、昼、夕、夜の表示の間違の発生を防止されている。【選択図】図１
0003111597.tif 000002
【実用新案登録請求の範囲】
【請求項１】
本体薬箱に、つまみを廻す行為で朝、昼、夕、及び夜を色分けした文字を各表示し、又そのつまみは反対方向には廻らない構造で朝、昼、夕、夜の表示の間違いを防止する、表示器を装着した、服薬支援薬箱。
【請求項２】
薬箱の引き出しの表面に取り付けたアクリル板に朝、昼、夕及び夜の背景の色違いの上に文字で薬を飲む時期、飲むのは食事の前か後か、何錠飲むかを明記したシールを貼付した請求項1に記載の服薬支援薬箱。
【請求項３】
前面蓋の裏に写真、格言、座右の銘、健康訓、その他を挿入できる額縁を装着した、請求項1、又は2に記載の服薬支援薬箱。
【請求項４】
前面蓋の表面に観光地、温泉地、各種催事、各種ＣＭ等各種のデザイン印刷物を利用した請求項1、2又は3に記載の服薬支援薬箱。
【考案の詳細な説明】
【技術分野】
【０００１】
本考案は毎日の服薬の飲み間違い飲み忘れ二重飲み過ぎの3点を防止する服薬支援薬箱の技術分野に属する。
【背景技術】
【０００２】
従来の服薬支援薬箱は構造的に複雑であり、又電気装置を利用したのも有り価格的に高くなり又薬箱といふ昔からのイメージがあり利用する人によっては気軽に利用するのにためらいがあった。
【考案の開示】
【考案が解決しようとする課題】
【０００３】
従来は構造が複雑な事や電気装置の利用で故障の心配、使用手間の不安及び価格高などで服薬支援薬箱の一般的利用が甚だ少ない。
【０００４】
従来の服薬支援薬箱の構造はほとんどが医師から渡された薬袋の中の薬を分配して収納しなければならない、薬の種類が多い人はこの作業が手間が掛かかった。
【０００５】
薬箱と云えば日本では古くから良くないイメージがある。
【０００６】
毎日服薬している人には服薬支援薬箱は薬の飲み忘れ、飲み間違い、二重飲みの防止と服薬時の手間がはぶけ非常に便利な物であるが、そのような物の存在も知らない人も多く一般に未だ普及してない現状である。
【課題を解決するための手段】
【０００７】
本考案は、薬箱本体とその上部に装着しているつまみ式表示器と各引き出しの表面に貼付しているアクリル板に朝、昼、夕及び夜の色分けをし文字で食前、食後、何錠  指示してあるシールを貼付して使用することと蓋の裏側に付けてある額縁と、蓋の表側の広いスペースを設けることにより前期の課題を解決した。
【考案の効果】
【０００８】
本考案はこの小型の服薬支援薬箱を利用することによって、医師の指示通りの何種類もの薬の飲み間違い、飲み忘れ、二重飲み過ぎを容易に防止でき、しかも医師から渡された数種の薬の収納とその取り出しが手軽にできる、また従来の薬箱のイメージが変り利用する人が多くなり、服薬支援薬箱の便利なことが証明される。
【考案を実施するための最良の形態】
【０００９】
図1は、正面から見た蓋を開放した状況の斜視図である。
医師から渡された薬袋一つの中身を引き出し7に全部移し替える。  引き出しに貼付されているアクリル板5に、朝、昼、夕、夜の薬を飲む時と食前か食後に○印をつけ飲む数量を数字のみ書き込んだシール18（図6）を貼付する。シールは裏紙を剥げば粘着性があるのでアクリル板5に容易に密着する。  薬を飲んだらつまみ3を内側に少し回すと朝、昼、夕及び夜の表示が変って表示板1の窓2に表示される。  つまみ3は左利きの人と右利きの人にまわし易い様に左右に付けてある。またこのつまみは反対方向には廻らない様に製作されている。1は白色のアクリル板で朝、昼、の表示窓2の下にお薬は飲みましたと印刷されている。磁石板4は金属板9と蓋を閉めた時密着する。引き出し用であるつまみは6であり額縁のアルミの縁は8である。薬箱の表の蓋10である。
【００１０】
図2は正面から蓋を閉じた図であり蓋の取り手11で蓋の開閉をする蓋の蝶番である12で本体と蓋を連結している。
【００１１】
図3は右側上部斜視図であり、薬箱を移動する時、指を四本差し込んで握る取り手13である。薬箱本体は14で表示してある、つまみを廻す行為で表示板の表示が変る装置を収納している収納庫は15である。
【００１２】
図4は平面図である、つまみ3が反対方向には廻らない注意書16である。
【００１３】
図5は斜め上方から蓋を開放し引き出しを引き出した状態の斜視図である。
引き出しの左右の内容の大きさを変える仕切り板17を示す。
【００１４】
図6は引き出しの5に貼付するシール18の一セットである。
【００１５】
図7は蓋を開けて使用中の参考図である。
【００１６】
図8は蓋の前面に観光地のデザインを施した参考図である。
【図面の簡単な説明】
【００１７】
【図１】正面から見た蓋を開放した状況の斜視図
【図２】正面から見た蓋を閉じた状況の正面図
【図３】右側上部から見た斜視図
【図４】上から見た平面図
【図５】蓋を開けて引き出しを引き出し、その中の左右の大きさを変る仕切り板の図
【図６】薬を飲む時と、食の前後の記入と、飲む薬の量を記入したシール一セット15枚の図
【図７】服薬支援薬箱を使用している様を蓋を開けて示した参考図
【図８】正面蓋の表面に観光地のデザインを施した参考図
【符号の説明】
【００１８】
朝、昼、夕方、夜  に服用する薬を飲んだことを表示する表示板
2    上記の表示で朝、昼、夕方、夜の文字を表示する窓
3    薬を服用したら、廻して表示を変えるつまみ
4    前蓋を閉めた時に本体と密着するための磁石板
5    シールを貼付するアクリル板
6    引き出し用のつまみ
7    引き出し
8    写真、色紙、座右の銘  など個人の意思で楽しく利用できる額縁
9    磁石板4に密着する金属板
10    前面にある蓋
11    上記の蓋の開け閉めに使用するつまみ
12    本体と蓋を連結する蝶番
13    本体を移動する使用する取り手
14    薬箱本体
15    表示板の装置を収納している  収納庫
16    つまみ3の注意書き板
17    引き出しの中の左、右の内容の大きさを変える2段に移動できる仕切り板
18    シール
【図１】
0003111597.tif 000003
【図２】
0003111597.tif 000004
【図３】
0003111597.tif 000005
【図４】
0003111597.tif 000006
【図５】
0003111597.tif 000007
【図６】
0003111597.tif 000008
【図７】
0003111597.tif 000009
【図８】
0003111597.tif 000010
【手続補正書】
【提出日】平成17年4月11日(2005.4.11)
【手続補正１】
【補正対象書類名】明細書
【補正対象項目名】全文
【補正方法】変更
【補正の内容】
【考案の詳細な説明】
【技術分野】
【０００１】
本考案は毎日の服薬の飲み間違い、飲み忘れ、二重飲み過ぎの3点を防止する服薬支援薬箱の技術分野に属する。
【背景技術】
【０００２】
従来の服薬支援薬箱は構造的に複雑であり又電気装置を利用した製品が多くあり価格的に高くなり又薬箱といふ昔からのイメージがあり利用する人によっては気軽に利用するのにためらいがあった。
【考案の開示】
【考案が解決しようとする課題】
【０００３】
従来は構造が複雑な事や電気装置の利用で故障の心配、使用手間の不安及び価格高などで服薬支援薬箱の一般的利用が甚だ少ない。
【０００４】
従来の服薬支援薬箱の構造はほとんどが医師から渡された薬袋の中の薬を分配して収納しなければならない、薬の種類が多い人はこの作業に手間が掛かった。
【０００５】
薬箱と云えば日本では古くから良くないイメージがある。
【０００６】
毎日服薬している人には服薬支援薬箱は薬の飲み忘れ、飲み間違い、二重飲みの防止と服薬時の手間がはぶけ非常に便利な物であるがそのような物の存在も知らない人も多く一般に未だ普及してない現状である。
【課題を解決するための手段】
【０００７】
本考案は薬箱本体と本体に装着している表示器と各引き出しの表面に貼付しているアクリル板に朝、昼、夕、及び夜の色分けをし文字で食前、食後、何錠と指示してあるシールを貼付して使用することと、蓋の裏側に付けてある額縁と、蓋の表側の広いスペースを設けることにより前期の課題を解決した。
【考案の効果】
【０００８】
本考案はこの小型の服薬支援薬箱を利用することによって、医師の指示通りの何種類もの薬の飲み間違い、飲み忘れ、二重飲み過ぎを容易に防止できしかも医師から渡された数種の薬の収納とその取り出しが手軽にできる、また従来の薬箱のイメージが変り利用する人が多くなり服薬支援薬箱の便利なことが証明される。
【考案を実施するための最良の形態】
【０００９】
図1は、正面から見た蓋を開放した状況の斜視図である。医師から渡された薬袋ひとつの中身を引き出し7に全部移し替える引き出しに貼付されている5アクリル板に朝、昼、夕夜の薬を飲む時と食前か食後に丸印をつけ飲む数量を数字のみ書き込んだ18シールを貼付する、シールは裏紙を剥げば粘着性があるので5のアクリル板に容易に密着する、薬を飲んだら3つまみを内側に少し廻すと2窓に朝、昼、夕、夜の表示が変る、3つまみは左利き及び右利きの人どちらでも廻しやすいように左右に各1個つけてある、又このつまみは反対方向には廻らない様に製作されている、1はアクリル板で2表示窓の下にお薬は飲みましたと印刷されている、4磁石板は9金属板と蓋を閉めた時密着する、6は引き出しのつまみであり8は額縁の縁だあり、10は薬箱の表の蓋である。
【００１０】
図2は蓋を閉じて正面からの図であり11は蓋の取り手で12の蝶番で本体と蓋を連結している。
【００１１】
図3は右側上部斜視図であり、13は薬箱を移動する時指を4本差し込んで握る取り手である、15は1、2の表示を変える装置を収納している収納庫である。
【００１２】
図4は平面図である、16は3のつまみが反対方向には廻らない注意書きである。
【００１３】
図5は斜め上方から蓋を開放し引き出しを引き出した状態の斜視図である、17は引き出しの左右の内容の大きさを変える仕切り板である。
【００１４】
図6は引き出しの5に貼付する18のシール15枚一セットである。
【００１５】
図7は蓋を開けて使用中の参考図である。
【００１６】
図8は蓋の前面に観光地のデザインを施した参考図である。
【図面の簡単な説明】
【００１７】
【図１】正面から見た蓋を開放した状況の斜視図
【図２】正面から見た蓋を閉じた状況の正面図
【図３】右側上部から見た斜視図
【図４】上から見た平面図
【図５】蓋を開けて引き出しを引き出し、その中の左右の大きさを変える仕切り板の図
【図６】薬を飲む時と食の前後の記入と飲む量を記入する一セット15枚のシールの図
【図７】本支援薬箱の蓋を開けて使用している様を示した参考図
【図８】正面蓋の表面に観光地のデザインを施した参考図
【符号の説明】
【００１８】
1 朝、昼、夕、夜に服用する薬を飲んだことを表示する表示板
2 上記の表示板で朝、昼、夕、夜の文字を表示する窓
3 薬を服用したら廻して表示を変えるつまみ
4 前蓋を閉めた時に9の金属板に密着する磁石板
5 18のシールを貼付するアクリル板
6 引き出し用のつまみ
7 引き出し
8 写真、色紙、座右の、健康訓など個人の意思で楽しく利用できる額縁
9 磁石板4に密着する金属板
10 前面にある蓋
11 蓋の開閉に使用するつまみ
12 本体と蓋を連結する蝶番
13 本体を移動する時使用する取り手
14 薬箱本体
15 表示板の装置を収納している収納庫
16 つまみ3の注意書き
17 引き出しの中の左右の内容の大きさを変える仕切り板
18 シール